(57)【要約】【課題】簡易な方式で体形補正が可能な２層構造のズボンを提供する。【解決手段】ズボンは、縫製された外側生地と前記外側生地に対して粘着される内側生地とを備える２層構造のズボンであって、内側生地は、外側生地よりも動摩擦係数が低く、内側生地は、外側生地よりも伸長回復量が大きい。【選択図】図６
2019123971.tif 000002
【特許請求の範囲】
【請求項１】
縫製された外側生地と前記外側生地に対して粘着される内側生地とを備える２層構造のズボンであって、
前記内側生地は、前記外側生地よりも動摩擦係数が低く、
前記内側生地は、前記外側生地よりも伸長回復量が大きい、２層構造のズボン。
【請求項２】
前記外側生地は、編物構造を有する、請求項１記載の２層構造のズボン。
【請求項３】
前記外側生地は、斜文編の編物構造である、請求項２記載の２層構造のズボン。
【請求項４】
前記内側生地は、編物構造を有する、請求項１記載の２層構造のズボン。
【請求項５】
前記内側生地は、デンビー編の編物構造である、請求項４記載の２層構造のズボン。
【請求項６】
前記内側生地は、前記外側生地よりも伸長率が高い、請求項１記載の２層構造のズボン。
【発明の詳細な説明】
【技術分野】
【０００１】
本発明は、生地が縫製された２層構造のズボンに関する。
【背景技術】
【０００２】
従来、ワンウェイストレッチまたはツーウェイストレッチと称するストレッチ織物（通常、表示組成としてポリウレタンを含み、ポリウレタンが２〜５％とタグなどに表示されている）を使用したズボンが市販されている。これらのズボンは細身であるが、生地が伸縮するので、立ったり座ったりしても楽である。
【０００３】
また、生地の伸縮のみならず部分的にストレッチ織物を用いることにより体形補正も考慮したズボンも提案されている（特許文献１）。
【先行技術文献】
【特許文献】
【０００４】
【特許文献１】特許第５０１６７３９号
【発明の概要】
【発明が解決しようとする課題】
【０００５】
しかしながら、上記ストレッチ織物では、一部の体形補正は可能であっても全体としての体形補正効果は十分ではない。
【０００６】
本発明は、上記の課題を解決するためになされたものであって、簡易な方式で体形補正が可能な２層構造のズボンを提供することを目的とする。
【課題を解決するための手段】
【０００７】
本発明のズボンは、縫製された外側生地と前記外側生地に対して粘着される内側生地とを備える２層構造のズボンであって、内側生地は、前記外側生地よりも動摩擦係数が低く、内側生地は、前記外側生地よりも伸長回復量が大きい。
【０００８】
好ましくは、外側生地は、編物構造を有する。
好ましくは、外側生地は、斜文編の編物構造である。
【０００９】
好ましくは、内側生地は、編物構造を有する。
好ましくは、内側生地は、デンビー編の編物構造である。
【００１０】
好ましくは、内側生地は、前記外側生地よりも伸長率が高い。
【発明の効果】
【００１１】
本発明のズボンは、内側生地は、外側生地よりも動摩擦係数が低く、内側生地は、外側生地よりも伸長回復量が大きいことにより、スムーズに足をズボンに挿入することが可能であるとともに、着圧効果により簡易な方式で体形補正が可能である。
【図面の簡単な説明】
【００１２】
【図１】従来のズボンと、本発明の実施形態に従うズボンとを比較する図である。
【図２】本発明の実施形態に従うズボン１の構成を模式化した図である。
【図３】本発明の実施形態に従うズボン１の生地の断面図である。
【図４】本発明の実施形態に従う外側生地１０の斜文編を説明する図である。
【図５】本発明の実施形態に従う内側生地１１の経編を説明する図である。
【図６】本発明の実施形態に従うズボン１の特性を説明する図である。
【図７】本発明の実施形態に従う伸長率、伸長回復率、残留ひずみ率を説明する図である。
【発明を実施するための形態】
【００１３】
実施形態について図面を参照しながら詳細に説明する。なお、図中同一または相当部分には同一符号を付し、その説明は繰り返さない。
【００１４】
図１は、従来のズボンと、本発明の実施形態に従うズボンとを比較する図である。
図１（Ａ）および（Ｂ）には、従来のズボンが示されている。
【００１５】
足の付け根の部分や、膝の部分には、布地の余り（弛み）があり、皺が生じる傾向がある。したがって、当該部分には体形補正効果はない。
【００１６】
ヒップの下方部分に皺が生じると、ヒップが下がっているように見える。また、膝部分に皺が生じるとシャープなラインを維持されていないように見える。
【００１７】
図１（Ｃ）および（Ｄ）には、実施形態に従うズボンが示されている。
当該図に示されるように、足の付け根の部分や、膝の部分には、布地の余り（弛み）がなく、皺が生じにくい。したがって、体形補正効果が働き、シャープなラインを維持することが可能である。
【００１８】
図２は、本発明の実施形態に従うズボン１の構成を模式化した図である。
図２を参照して、ズボン１は、２層構造の編物生地で構成されている。ダブルニット構造とも称する。
【００１９】
具体的には、外側生地１０と、内側生地１１とを有する。
図３は、本発明の実施形態に従うズボン１の生地の断面図である。
【００２０】
図３に示されるように、編物生地は２層構造となっている。
外側生地１０と、内側生地１１とがボンディング加工により接着された状態である。
【００２１】
外側生地１０と内側生地１１とを張り合わせた２層構造であるため全体としての生地の厚みもある。
【００２２】
図４は、本発明の実施形態に従う外側生地１０の斜文編を説明する図である。
図４に示されるように、表面は、斜め方向に綾線が表れる。一方、裏面には綾線が表れない。
【００２３】
ズボン１の外側生地１０は、斜文編の編物であるが綾線が生じるため外観上織物のような風合いに見える。
【００２４】
図５は、本発明の実施形態に従う内側生地１１の経編を説明する図である。
図５に示されるように、本例においては、トリコットのデンビー編みが示されている。
【００２５】
経編構造により編み地方向に畝が生じる。
したがって、編み地方向の摩擦係数が低くなる。本例においては、編み地方向はズボン１の足を挿入する方向である。
【００２６】
図６は、本発明の実施形態に従うズボン１の特性を説明する図である。
図６に示されるように、生地のたてとよこに関する特性検査の値が示されている。
【００２７】
生地のたては、ズボンに足を挿入する方向である。生地のよこは、足を挿入する方向と直交する方向である。
【００２８】
外側生地１０は、綿４６％、ポリエチレン（ＰＥ）４１％、ポリウレタン（ＰＵ）１３％で構成されている。
【００２９】
内側生地１１は、ナイロン８６％、ポリウレタン（ＰＵ）１４％で構成されている。
比較生地は、綿１００％で構成される生地を用いた。
【００３０】
具体的には、生地検査として、比較生地と、外側生地１０と、内側生地１１とを比較した値が示されている。
【００３１】
本例における生地検査としては、伸長率（％）と、伸長回復率（％）、残留ひずみ率（％）、伸長回復量、表面試験摩擦係数について検査した場合の値が示されている。
【００３２】
図７は、本発明の実施形態に従う伸長率、伸長回復率、残留ひずみ率を説明する図である。
【００３３】
図７に示されるように、伸長率は、（Ｌ１―Ｌ０）／Ｌ０×１００により示される。
また、伸長回復率は、（Ｌ１−Ｌ２）／（Ｌ１−Ｌ０）×１００により示される。
【００３４】
また、伸長回復量は、伸長率×伸長回復率として定義する。
伸長回復量は、（Ｌ１−Ｌ２）／Ｌ０で表わされる。
【００３５】
伸長率（％）については、ＪＩＳＬ１０９６Ｂ法（定荷重法）により試験した。
伸長回復率（％）については、ＪＩＳＬ１０９６Ｂ−１法たて（定荷重法）荷重１４．７Ｎを用いて試験した。
【００３６】
残留ひずみ率（％）については、ＪＩＳＬ１０９６Ｂ−１法３０秒（定荷重法）荷重１４．７Ｎを用いて試験した。
【００３７】
表面試験摩擦係数については、ＫＥＳ  ＦＢ−４法により試験した。
当該特性に示されるように、内側生地１１の動摩擦係数は、外側生地１０と比較して非常に低い。
【００３８】
したがって、ズボンに足を挿入する際に引っ掛かりを感じることなくスムーズな装着が可能である。これによりサイズが小さいズボンも装着することが可能である。
【００３９】
また、編物構造であるため内側生地１１および外側生地１０ともに伸長率が高い。したがって、サイズの小さいズボンも装着することが可能である。
【００４０】
そして、外側生地１０に対して内側生地１１の伸長回復量が非常に高い。
内側生地１１は、外側生地１０と全領域でボンディング加工される。
【００４１】
したがって、下半身の体形にフィットした状態となるとともに、伸長回復量が高いため下半身全体に着圧効果が生じる。
【００４２】
この着圧効果により体形が補正されて膝や足の付け根部分に皺が生じにくく、シャープなラインを維持することが可能である。
【００４３】
本発明のズボンは、外側生地１０と、内側生地１１とを張り合わせた２層構造であり、内側生地１１は、外側生地１０よりも動摩擦係数が低く、内側生地１１は、外側生地１０よりも伸長回復量が大きいことにより、スムーズに足をズボン１に挿入することが可能であるとともに、着圧効果により簡易な方式で体形補正が可能である。
【符号の説明】
【００４４】
１  ズボン、１０  表面生地、１１  裏面生地。
【図１】
2019123971.tif 000003
【図２】
2019123971.tif 000004
【図３】
2019123971.tif 000005
【図４】
2019123971.tif 000006
【図５】
2019123971.tif 000007
【図６】
2019123971.tif 000008
【図７】
2019123971.tif 000009